(57)【要約】【課題】貫通孔を形成することなく、機能部品を保持することが可能な表示装置を提供する。【解決手段】バックライト装置１４と、バックライト装置１４から照射される光を利用して画像を表示する液晶パネル１１と、バックライト装置１４における裏面１９に設けられ、裏面１９と対向配置される対向配置部品２０をバックライト装置１４に締結するスタッドナット３０であって、裏面１９から対向配置部品２０に向かって突出する形状をなし、段差部３６が形成された側面３３を有するスタッドナット３０と、対向配置部品２０と裏面１９の間に配され、周端部が段差部３６に嵌合される基板１２と、を備えることに特徴を有する。【選択図】図２
2019082535.tif 000002
【特許請求の範囲】
【請求項１】
画像を表示する表示部品と、
前記表示部品における表示面と反対側の面に設けられ、前記反対側の面と対向配置される対向配置部品を前記表示部品に締結する締結部品であって、前記反対側の面から前記対向配置部品に向かって突出する形状をなし、段差部が形成された側面を有する締結部品と、
前記対向配置部品と前記反対側の面の間に配され、周端部が前記段差部に嵌合される機能部品と、を備える表示装置。
【請求項２】
前記段差部は、前記締結部品の突出端側が基端側に比して高い構成である請求項１に記載の表示装置。
【請求項３】
前記機能部品は、基板、及び前記基板を前記対向配置部品側から覆うカバー部材とされ、
前記カバー部材は、前記基板と対向配置される主壁部と、前記主壁部の周端部から前記表示部品側に立ち上がる側壁部と、を備え、
前記基板の周端部及び前記側壁部の一部が前記段差部に嵌合されている請求項１又は請求項２に記載の表示装置。
【請求項４】
前記締結部品は、スタッドナットである請求項１から請求項３のいずれか１項に記載の表示装置。
【請求項５】
前記締結部品は、円柱状をなし、
前記段差部は、前記締結部品の全周に亘って延びている請求項１から請求項４のいずれか１項に記載の表示装置。
【発明の詳細な説明】
【技術分野】
【０００１】
本発明は、表示装置に関する。
【背景技術】
【０００２】
従来の表示装置の一例として下記特許文献１に記載されたものが知られている。特許文献１に記載された表示装置は、液晶表示パネル、照明装置（バックライト部）及びプリント回路基板が積層され、金属製のバックケースに収納されている。また、上記プリント回路基板は、照明装置の裏面に対して固定されている。
【先行技術文献】
【特許文献】
【０００３】
【特許文献１】特開２００８−４６２８４号公報
【発明の概要】
【発明が解決しようとする課題】
【０００４】
ところで、上記プリント回路基板のような機能部品を照明装置の裏面で保持する保持構造として、照明装置を構成する板材の一部を機能部品側に折り曲げることで爪部を形成し、その爪部によって機能部品を保持する構成が考えられる。しかしながら、このような構成では、板材の一部を折り曲げることで爪部を形成するため、板材に貫通孔が生じる。このような貫通孔は、照明装置からの光漏れや、照明装置内部に異物が入る原因となってしまう。
【０００５】
本発明は上記のような事情に基づいて完成されたものであって、貫通孔を形成することなく、機能部品を保持することが可能な表示装置を提供することを目的とする。
【課題を解決するための手段】
【０００６】
上記課題を解決するために、本発明の表示装置は、画像を表示する表示部品と、前記表示部品における表示面と反対側の面に設けられ、前記反対側の面と対向配置される対向配置部品を前記表示部品に締結する締結部品であって、前記反対側の面から前記対向配置部品に向かって突出する形状をなし、段差部が形成された側面を有する締結部品と、前記対向配置部品と前記反対側の面の間に配され、周端部が前記段差部に嵌合される機能部品と、を備えることに特徴を有する。
【０００７】
仮に表示部品を構成する板材の一部を折り曲げて爪部を形成し、その爪部によって機能部品を保持する構成とした場合には、板材に貫通孔が形成されてしまい、光漏れの原因となる。上記構成によれば、機能部品を締結部品の段差部に嵌合させることで保持することができる。このため、表示部品を構成する板材に貫通孔を形成することなく、機能部品を保持することができ、光漏れを抑制することができる。また、締結部品は、他部品を締結するために設けられた部品であるため、機能部品を保持するための専用部品を設ける必要がなく、部品点数の増加を抑制することができる。
【発明の効果】
【０００８】
本発明によれば、貫通孔を形成することなく、機能部品を保持することが可能な表示装置を提供することができる。
【図面の簡単な説明】
【０００９】
【図１】本発明の一実施形態に係る液晶表示装置及び対向配置部品を示す斜視図
【図２】液晶表示装置及び対向配置部品を示す断面図（図１のＩＩ−ＩＩ線で切断した図に対応）
【図３】バックライト装置を裏側から視た斜視図
【図４】スタッドナットを示す斜視図
【図５】バックライト装置に基板を取り付けた状態を示す斜視図
【図６】バックライト装置にカバー部材を取り付けた状態を示す斜視図
【図７】バックライト装置の片部を示す斜視図
【図８】カバー部材の側壁部において開口部付近を示す斜視図
【図９】スタッドナットを示す断面図（図２のＩＸ−ＩＸ線で切断した図に対応）
【図１０】比較例を示す断面図
【図１１】実施形態２に係る液晶表示装置及び対向配置部品を示す断面図
【発明を実施するための形態】
【００１０】
＜実施形態１＞
本発明の一実施形態を図１から図１０によって説明する。液晶表示装置１０（表示装置）は、図１及び図２に示すように、液晶モジュール１５（表示部品）と、液晶モジュール１５の裏面に配される基板１２と、基板１２を覆うカバー部材５０と、対向配置部品２０をバックライト装置１４に締結するスタッドナット３０と、を備える。液晶モジュール１５は、図２に示すように、液晶パネル１１（表示パネル）と、液晶パネル１１に光を供給する外部光源であるバックライト装置１４（照明装置）と、を備える。バックライト装置１４は、図２に示すように、略箱形をなすシャーシ１８（フレーム）を備える。シャーシ１８内には図示しない光源や光学部材が収容されている。光源からの出射光はシャーシ１８の表側（図１では下側）に出射され、液晶パネル１１に向かう構成となっている。なお、本実施形態に係る液晶表示装置１０は、例えば、携帯電話（スマートフォンなどを含む）、ノートパソコン（タブレット型ノートパソコンなどを含む）、ウェアラブル端末（スマートウォッチなどを含む）、携帯型情報端末（電子ブックやＰＤＡなどを含む）、携帯型ゲーム機、デジタルフォトフレームなどの各種電子機器（図示せず）に用いられるものである。液晶パネル１１は、ＣＦ基板（対向基板）及びアレイ基板の間に液晶層が配されることで構成されており、バックライト装置１４から照射される光を利用して画像を表示することが可能な構成となっている。
【００１１】
バックライト装置１４のシャーシ１８の裏面１９（表示部品における表示面と反対側の面）には、対向配置部品２０をバックライト装置１４に締結するスタッドナット３０が設けられている。スタッドナット３０は、例えば、シャーシ１８に形成された孔部に対して圧入によって取り付けられる。対向配置部品２０は、裏面１９と対向配置される部品であって、例えば、液晶モジュール１５を収容する筐体を例示することができる。このような筐体は、アルミ等の金属や合成樹脂製とされ、例えば、図１に示す取付片２１によって車両のインストルメントパネルに取り付けられる。なお、対向配置部品２０は筐体に限定されない。対向配置部品２０の底壁部には、貫通孔２３が形成されている。貫通孔２３には、スタッドナット３０に締結されるボルト２４が挿通されている。スタッドナット３０（締結部品）は、図２に示すように、シャーシ１８の裏面１９から対向配置部品２０に向かって突出する形状をなしている。スタッドナット３０は、図４に示すように、ボルト２４が挿通される挿通孔３２を有する円柱状（円筒状）をなしており、挿通孔３２の内面には、ボルト２４が螺合されるネジ溝３７が形成されている。スタッドナット３０は、図３に示すように、シャーシ１８の裏面１９の周端部に複数配されている。
【００１２】
スタッドナット３０の側面３３には、図４に示すように、スタッドナット３０の周方向の全周に亘って延びる凹部３４が形成されている。基板１２（機能部品）は、図２に示すように、対向配置部品２０とシャーシ１８の裏面１９の間に配され、周端部１３が凹部３４に嵌合されている。基板１２は、例えば液晶パネル１１の制御回路基板とされ、液晶パネル１１に対して図示しないフレキシブル基板を介して電気的に接続され、液晶パネル１１（主に液晶パネル１１が備えるドライバ）に対して各種入力信号を供給する機能を有する。図２に示すように、凹部３４の底面３９は、凹部３４の開口端面に対して低い位置に配されている。これにより、凹部３４の開口端面のうちスタッドナット３０の突出端側の開口端面４０及び底面３９によって段差部３６が構成されている。この段差部３６は、スタッドナット３０の突出端側（図２の上側）が基端側（図２の下側）に比して高い段差部であり、基板１２は、段差部３６に嵌合されることで、裏面１９から遠ざかる側への変位が規制されている。なお、ここで言う「スタッドナット３０の突出端側が基端側に比して高い」とは突出端側（開口端面４０）が基端側（底面３９）に比してスタッドナット３０の中心軸Ｌ１から遠いことを言う。図５及び図６に示すように、基板１２の一辺は、シャーシ１８の裏面１９の一辺に沿って並ぶ３つのスタッドナット３０の各凹部３４に嵌合されている。これにより、基板１２は、液晶表示装置１０の厚さ方向（Ｚ軸方向）及びＹ軸方向の一方について位置決めされている。
【００１３】
カバー部材５０（機能部品）は、図２に示すように、基板１２と対向配置部品２０の間に配され、基板１２を対向配置部品２０側（図２の上側）から覆う構成となっている。カバー部材５０は、基板１２と対向配置される主壁部５１と、主壁部５１の周端部からバックライト装置１４側に立ち上がる側壁部５２と、を備える。図６及び図８に示すように、側壁部５２において、スタッドナット３０と近接する箇所には、方形状の開口部５３が形成されており、開口部５３の孔縁部５４がスタッドナット３０側に向かう形で部分的に曲げられている。孔縁部５４（機能部品の周端部、側壁部の一部）は、スタッドナット３０の凹部３４に嵌合されている。これにより、カバー部材５０がスタッドナット３０に係止する構成となっている。なお、本実施形態では、図９に示すように、一つの凹部３４に対して、基板１２の周端部１３と、カバー部材５０の孔縁部５４とがそれぞれ嵌合されている。
【００１４】
また、図７に示すように、カバー部材５０の主壁部５１の周端部は、その一部がバックライト装置１４側に向かう形で折り曲げられた折り曲げ部５５とされる。折り曲げ部５５は、段差状をなしている。また、シャーシ１８の裏面１９において、折り曲げ部５５に対応する箇所には、シャーシ１８を構成する板材の一部を裏側へ折り曲げてなる片持ち状の片部３５が設けられている。片部３５の先端部３８は、基板１２の周端部及び折り曲げ部５５を覆う形で屈曲されている。これにより、基板１２のＸ軸方向における周端部及び折り曲げ部５５は、片部３５によって保持されている。なお、片部３５は、図６に示すように、裏面１９においてＸ軸方向の両端部にそれぞれ配されている。また、片部３５の先端部３８は、基端部に対して弾性的に撓み変位可能となっている。
【００１５】
次に、本実施形態の効果について説明する。図１０の比較例に示すように、仮にバックライト装置１４を構成するシャーシ１８の一部を折り曲げて爪部３を形成し、爪部３が有する突起部５によって基板１２を保持した場合には、シャーシ１８に貫通孔７が形成されてしまい、光漏れの原因となる。本実施形態によれば、図２に示すように、基板１２をスタッドナット３０の凹部３４に嵌合させることで保持することができる。このため、貫通孔７を形成する必要がなく、シャーシ１８の一部を爪部とする構成と比べて、光漏れを抑制することができる。また、スタッドナット３０は、対向配置部品２０を締結するために設けられた部品であるため、基板１２を保持するための専用部品を設ける必要がなく、部品点数の増加を抑制することができる。
【００１６】
段差部３６は、スタッドナット３０の突出端側が基端側に比して相対的に高い構成となっている。段差部３６によって基板１２が対向配置部品２０側に変位する事態を抑制することができる。これにより、基板１２を段差部３６とバックライト装置１４との間でより確実に保持することができる。
【００１７】
また、基板１２と、対向配置部品２０の間に配され、基板１２を対向配置部品２０側から覆うカバー部材５０とを備え、カバー部材５０は、基板１２と対向配置される主壁部５１と、主壁部５１の周端部からバックライト装置１４側に立ち上がる側壁部５２と、を備え、基板１２の周端部１３及び側壁部５２の一部が段差部３６に嵌合されている。図１０に示すように、仮にバックライト装置１４を構成するシャーシ１８の一部を折り曲げて爪部４を形成し、爪部４が有する突起部６をカバー部材５０の側壁部５２の挿通孔９に挿通させることで、側壁部５２を保持する構成とした場合には、シャーシ１８に貫通孔８が形成されてしまい、光漏れの原因となる。本実施形態によれば、スタッドナット３０によってカバー部材５０を保持することができ、爪部４（ひいては貫通孔８）を設ける必要がない。
【００１８】
また、対向配置部品２０を締結するための締結部品として、スタッドナット３０を用いている。ボルト２４をスタッドナット３０に挿入することで対向配置部品２０をバックライト装置１４に締結することができる。スタッドナット３０は、ねじ溝が内周面にあるため、外周面にねじ溝が形成されているボルトと比べて、外周面である側面３３に段差部３６を形成し易く好適である。
【００１９】
また、スタッドナット３０は、円柱状をなし、段差部３６は、スタッドナット３０の全周に亘って延びている。スタッドナット３０の段差部３６に対して基板１２及びカバー部材５０を嵌合させることができる。
【００２０】
＜実施形態２＞
次に、本発明の実施形態２を図１１によって説明する。上記実施形態と同一部分には、同一符号を付して重複する説明を省略する。本実施形態の液晶表示装置１１０においては、スタッドナット３０の側面３３に凹部３４及び凹部１３４が形成されている。このような構成とすれば、スタッドナット３０に対して、基板１２及び基板１１２を固定することができる。なお、凹部の個数は３つ以上であってもよい。また、基板１１２のように、表裏両側について他部材との間にスペースを確保する構成とすれば、その表裏両面に部品を実装することが可能となる。
【００２１】
＜他の実施形態＞
本発明は上記記述及び図面によって説明した実施形態に限定されるものではなく、例えば次のような実施形態も本発明の技術的範囲に含まれる。
（１）上記実施形態では、機能部品として基板１２及びカバー部材５０を例示したが、これに限定されない。機能部品は、対向配置部品２０とシャーシ１８の間に配される部品であればよい。
（２）上記実施形態では、締結部品として、スタッドナットを例示したが、これに限定されない。締結部品としては、例えばボルトであってもよく、ボルトの基端部に段差部（凹部）を形成する構成としてもよい。
（３）スタッドナット３０の形状は円柱状に限定されず適宜変更可能であり、例えば、スタッドナット３０が多角柱形状をなしていたり、平面と曲面を組み合わせた側面を有していたりしてもよい。
（４）シャーシ１８に対するスタッドナット３０の固定方法は、圧入に限定されず適宜変更可能である。例えば、シャーシ１８が合成樹脂製である場合には、スタッドナット３０をインサート成形によってシャーシ１８と一体的に形成してもよい。また、溶接によってシャーシ１８にスタッドナット３０を固定してもよい。
（５）上記実施形態では、基板として液晶パネル１１の制御を行う制御回路基板を例示したが、基板の種類はこれに限定されない。
（６）上記実施形態では、スタッドナット３０に形成された凹部３４によって、段差部３６が構成され、凹部３４によって基板１２が厚さ方向（Ｚ軸方向）に位置決めされている場合を例示したが、これに限定されない。スタッドナット３０に形成された段差部３６とシャーシ１８との間で基板１２が厚さ方向（Ｚ軸方向）に位置決めされていてもよい。
（７）上記実施形態では、表示部品として液晶モジュール１５を例示したが、これに限定されない。表示部品として、バックライト装置を備えていない表示部品、例えば、有機ＥＬパネルやプラズマディスプレイパネル等を例示することができる。
【符号の説明】
【００２２】
１０…液晶表示装置（表示装置）、１１…液晶パネル（表示パネル）、１２…基板（機能部品）、１４…バックライト装置（照明装置）、１５…液晶モジュール（表示部品）、１９…シャーシの裏面（表示部品における表示面と反対側の面）、２０…対向配置部品、３０…スタッドナット（締結部品）、３３…側面、３６…段差部、５０…カバー部材（機能部品）、５１…主壁部、５２…側壁部、５４…開口部の孔縁部（側壁部の一部、機能部品の周端部）
【図１】
2019082535.tif 000003
【図２】
2019082535.tif 000004
【図３】
2019082535.tif 000005
【図４】
2019082535.tif 000006
【図５】
2019082535.tif 000007
【図６】
2019082535.tif 000008
【図７】
2019082535.tif 000009
【図８】
2019082535.tif 000010
【図９】
2019082535.tif 000011
【図１０】
2019082535.tif 000012
【図１１】
2019082535.tif 000013